(57)【特許請求の範囲】
【請求項１】
原水を伝熱管に導かれる加熱用蒸気により加熱し蒸発させて蒸気を得る蒸発缶が複数段でもって配置されるとともに、中間段または後段の蒸発缶内で発生した蒸気をエジェクタにより吸収し前段の蒸発缶に圧縮供給させるようにした自己蒸気圧縮法を用いた多重効用式の蒸発方法であって、
自己蒸気圧縮法が適用される中間段または後段の蒸発缶を、缶内発生蒸気が他の蒸発缶の伝熱管に導かれることなくエジェクタに導かれる吸引蒸気専用蒸発缶と、缶内発生蒸気がエジェクタに導かれない通常蒸発缶とに分け、
上記吸引蒸気専用蒸発缶にて発生した蒸気をエジェクタにより吸引して前段の蒸発缶の伝熱管に導くとともに当該伝熱管内で発生した凝縮水を吸引蒸気専用蒸発缶に戻すようになし、
さらに上記吸引蒸気専用蒸発缶より一段前の蒸発缶からの蒸気を上記吸引蒸気専用蒸発缶および上記通常蒸発缶に導くことを特徴とする多重効用式蒸発方法。
【請求項２】
原水を伝熱管に導かれる加熱用蒸気により加熱し蒸発させて蒸気を得る蒸発缶が複数段でもって配置されるとともに、中間段または後段の蒸発缶内で発生した蒸気をエジェクタにより吸引して前段の蒸発缶の伝熱管に圧縮供給させるようにした自己蒸気圧縮法を用いた多重効用式の蒸発装置であって、
自己蒸気圧縮法が適用される中間段または後段の蒸発缶を、缶内発生蒸気が他の蒸発缶の伝熱管に導かれることなくエジェクタに導かれる吸引蒸気専用蒸発缶と、缶内発生蒸気がエジェクタに導かれない通常蒸発缶とから構成し、
且つ上記吸引蒸気専用蒸発缶の蒸気通路とエジェクタの吸引部とを蒸気吸引管で接続するとともに、前段の蒸発缶の伝熱管と上記吸引蒸気専用蒸発缶とを凝縮水移送管で接続し、
上記吸引蒸気専用蒸発缶より一段前の蒸発缶からの蒸気を上記吸引蒸気専用蒸発缶および上記通常蒸発缶に導くようにしたことを特徴とする多重効用式蒸発装置。
【発明の詳細な説明】
【技術分野】
【０００１】
本発明は、例えば海水から純水を製造し得る多重効用式蒸発方法および多重効用式蒸発装置に関するものである。
【背景技術】
【０００２】
従来、地下水などの原水から純度の高い水を得る装置として、多重効用式の蒸発装置がある。
この多重効用式の蒸発装置は、蒸発缶が複数段でもって連続して配置されて、前段側の蒸発缶でフラッシュ蒸発により発生された蒸気を後段側（次段）の蒸発缶に導入し、後段側での原水のフラッシュ蒸発に利用するようにしたものである。
【０００３】
そして、このような多重効用式の蒸発装置において、熱効率の改善を図るようにした自己蒸気圧縮式のものが提案されている（例えば、特許文献１参照）。
この自己蒸気圧縮式の蒸発装置においては、ボイラー蒸気により蒸発缶内で発生した蒸気をエジェクタで圧縮し、その蒸気はエジェクタの吐出蒸気として初段の蒸発缶に供給され、その蒸発缶にて原水と熱交換を行い、発生した蒸気を後段に供給する一方、吐出蒸気自体が凝縮されて凝縮水となるように構成されている。
【先行技術文献】
【特許文献】
【０００４】
【特許文献１】特開２００４−４１８５０号公報
【発明の概要】
【発明が解決しようとする課題】
【０００５】
しかし、上記従来の構成によると、エジェクタ吸引部に接続されている蒸発缶には、不純物を含むボイラー蒸気が導かれており、しかもその缶内発生蒸気が後段の蒸発缶に供給されるため、その蒸気が凝縮水になった場合、不純物が含まれることになり、したがって得られる純水の純度が低下するという問題がある。
【０００６】
そこで、本発明は、例えばボイラー蒸気のように不純物を含んだ蒸気を用いる自己蒸気圧縮式の場合でも、得られる純水の純度が低下するのを防止し得る多重効用式の蒸発方法および蒸発装置を提供することを目的とする。
【課題を解決するための手段】
【０００７】
上記課題を解決するため、本発明の多重効用式蒸発方法は、原水を伝熱管に導かれる加熱用蒸気により加熱し蒸発させて蒸気を得る蒸発缶が複数段でもって配置されるとともに、中間段または後段の蒸発缶内で発生した蒸気をエジェクタにより吸収し前段の蒸発缶に圧縮供給させるようにした自己蒸気圧縮法を用いた多重効用式の蒸発方法であって、
自己蒸気圧縮法が適用される中間段または後段の蒸発缶を、缶内発生蒸気が他の蒸発缶の伝熱管に導かれることなくエジェクタに導かれる吸引蒸気専用蒸発缶と、缶内発生蒸気がエジェクタに導かれない通常蒸発缶とに分け、
上記吸引蒸気専用蒸発缶にて発生した蒸気をエジェクタにより吸引して前段の蒸発缶の伝熱管に導くとともに当該伝熱管内で発生した凝縮水を吸引蒸気専用蒸発缶に戻すようになし、
さらに上記吸引蒸気専用蒸発缶より一段前の蒸発缶からの蒸気を上記吸引蒸気専用蒸発缶および上記通常蒸発缶に導く方法である。
【０００８】
また、本発明の多重効用式蒸発装置は、原水を伝熱管に導かれる加熱用蒸気により加熱し蒸発させて蒸気を得る蒸発缶が複数段でもって配置されるとともに、中間段または後段の蒸発缶内で発生した蒸気をエジェクタにより吸引して前段の蒸発缶の伝熱管に圧縮供給させるようにした自己蒸気圧縮法を用いた多重効用式の蒸発装置であって、
自己蒸気圧縮法が適用される中間段または後段の蒸発缶を、缶内発生蒸気が他の蒸発缶の伝熱管に導かれることなくエジェクタに導かれる吸引蒸気専用蒸発缶と、缶内発生蒸気がエジェクタに導かれない通常蒸発缶とから構成し、
且つ上記吸引蒸気専用蒸発缶の蒸気通路とエジェクタの吸引部とを蒸気吸引管で接続するとともに、前段の蒸発缶の伝熱管と上記吸引蒸気専用蒸発缶とを凝縮水移送管で接続し、
上記吸引蒸気専用蒸発缶より一段前の蒸発缶からの蒸気を上記吸引蒸気専用蒸発缶および上記通常蒸発缶に導くようにしたものである。
【発明の効果】
【０００９】
上記蒸発方法および蒸発装置によると、自己蒸気圧縮法が適用される蒸発缶、すなわちエジェクタにより吸引される蒸発缶を吸引蒸気専用蒸発缶と通常蒸発缶とで構成するとともに、エジェクタからの吐出蒸気が供給される前段側の蒸発缶から取り出される凝縮水を吸引蒸気専用蒸発缶に戻し、そして当該吸引蒸気専用蒸発缶で発生した蒸気をエジェクタにより吸引して圧縮し、再度、エジェクタの吐出蒸気として用いるようにしているため、従来のように、加熱用蒸気特有（加熱用蒸気由来）の不純物、例えば加熱用蒸気がボイラー蒸気である場合、揮発性のボイラー水処理用薬剤などが原水蒸気を凝縮して得られる純水に混入することがないので、得られる純水の純度が低下するのを防止することができる。
【００１０】
さらに、加熱用蒸気がボイラー蒸気である場合、吸引蒸気専用蒸発缶に戻される水、つまり循環水は全量がボイラー蒸気の凝縮水となるため、従来技術とは異なり、エジェクタからの吐出蒸気に由来するボイラー水処理用薬剤の全量が含まれているとともに、原水蒸気由来の不純物による純度低下も防ぐことができる。したがって、循環水はより純度の高い濃縮ボイラー用水として再利用することができる。
【図面の簡単な説明】
【００１１】
【図１】本発明の実施例に係る造水装置の概略構成を示す模式断面図である。
【発明を実施するための形態】
【００１２】
以下、本発明の実施例に係る多重効用式蒸発装置およびこの装置を用いた多重効用式蒸発方法を図面に基づき説明する。
この蒸発装置および蒸発方法は、多段に配置された蒸発缶に原水を導き、真空装置などを用いて内圧を下げた状態で加熱用蒸気により原水をフラッシュ蒸発させて蒸気を得るとともに、この蒸気を原水により凝縮させて純水を得るようにしたものであり、また中間段の蒸発缶内で発生した蒸気をエジェクタにより吸引し前段の蒸発缶に圧縮供給させるようにした自己蒸気圧縮法を用いたものであり、特に、自己蒸気圧縮法が用いられる中間段の蒸発缶を、缶内発生蒸気がエジェクタに導かれる吸引蒸気専用蒸発缶と、缶内発生蒸気がエジェクタに導かれない通常蒸発缶とから構成したものである。
【００１３】
以下、実施例について説明するが、ここでは、多重効用式蒸発装置として、原水、例えば海水から飲料用の純水を得るためのフラッシュ式の造水装置について説明する。
図１に示すように、この造水装置は、原水蒸気（海水蒸気）が導かれる伝熱管４ａを有する熱交換器４およびこの伝熱管４ａ上に原水（海水）を散布する散布器（例えば、散布管が用いられる）５が配置された蒸発室２および当該蒸発室２にて発生した原水蒸気を導く蒸気通路３を有する蒸発缶１が少なくとも３段、例えば５段でもって前後に直列で配置されている。なお、蒸発室２と蒸気通路３とは上方部分に鉛直方向で配置された区画壁（仕切壁とも言える）６により互いに区画（分離）されているが、下方部分は連通空間部とされて互いに連通されている。すなわち、伝熱管４ａにより加熱されて発生した原水蒸気は、蒸気通路３側に移動することになる。
【００１４】
また、この造水装置には、上記各蒸発缶１の散布器５に原水を供給する原水供給管１１と、所定の蒸発缶１［ここでは、第１段目の蒸発缶１（１Ａ）］に加熱用蒸気としてボイラー蒸気を供給するとともに所定の蒸発缶１［ここでは、第４段目の蒸発缶１（１Ｄ）］で発生した蒸気を吸引し加熱用蒸気として吐出するためのエジェクタ１３を有する加熱用の蒸気供給管１２と、上記前後２つの蒸発缶１，１における前段側の蒸発缶１の蒸発室２でフラッシュ蒸発された原水蒸気を蒸気通路３を経て後段側の蒸発缶１の蒸発室２の伝熱管４ａに導く蒸気導入管（蒸気導入路の一例）１４と、最後段（第５段；最終段）の蒸発缶１（１Ｅ）内で発生した蒸気をその蒸気通路３から取り出す蒸気取出管１５と、加熱用のボイラー蒸気が供給される第１段目の蒸発缶１（１Ａ）の伝熱管４ａ内で凝縮した凝縮水を第４段目の蒸発缶１（１Ｄ）に戻す（供給する）凝縮水移送管１６と、上記各蒸発缶１の伝熱管４ａ内で凝縮された純水を取り出す純水取出管（生産水取出管ともいえる）１７とが具備されている。
【００１５】
なお、原水供給管１１は、原水用ポンプ（海水用ポンプ）１８が設けられた本体管部１１ａと、各蒸発缶１の散布器５と本体管部１１ａとを接続する枝管部１１ｂとから構成されており、また純水取出管１７は、水用ポンプ１９が設けられた本体管部１７ａと、各熱交換器４の伝熱管４ａと本体管部１７ａとを接続する枝管部１７ｂとから構成されている。
【００１６】
ところで、自己蒸気圧縮法を実現するために、上述したように、自己蒸気圧縮法が用いられる中間段、ここでは第４段目の蒸発缶１（１Ｄ）が、缶内発生蒸気が他の蒸発缶１の伝熱管４ａに導かれることなくエジェクタ１３に導かれる吸引蒸気専用蒸発缶１Ｄａと、缶内発生蒸気がエジェクタ１３に導かれない通常蒸発缶１Ｄｂとから構成されており、当然ながら、吸引蒸気専用蒸発缶１Ｄａの蒸気通路３とエジェクタ１３の吸引部１３ａとが蒸気吸引管２０で接続されている。言い換えれば、加熱用蒸気としてのエジェクタ１３からの吐出蒸気（以下、エジェクタ吐出蒸気ともいう）の凝縮水が導かれる吸引蒸気専用蒸発缶１Ｄａと、エジェクタ吐出蒸気の凝縮水が導かれない通常蒸発缶１Ｄｂとから構成されている。
【００１７】
上記エジェクタ吐出蒸気は、最前段すなわち第１段目の蒸発缶１（１Ａ）の伝熱管４ａを通過する際に原水と熱交換が行われて凝縮し、この凝縮水は凝縮水移送管１６を介して吸引蒸気専用蒸発缶１Ｄａ内に戻される。
【００１８】
また、上述したように、前後における蒸発缶１，１同士はそれぞれ蒸気導入管１４により接続されており、特に、第３段目の蒸発缶１（１Ｃ）の蒸気通路３と、吸引蒸気専用蒸発缶１Ｄａおよび通常蒸発缶１Ｄｂとは、同じ蒸気導入管１４（１４Ｃ）により接続されている。言い換えれば、第３段目の蒸発缶１（１Ｃ）の蒸気通路３と、吸引蒸気専用蒸発缶１Ｄａおよび通常蒸発缶１Ｄｂとは、蒸気導入管１４（１４Ｃ）を介して互いに（並列に）接続されている。
【００１９】
すなわち、第１段目の蒸発缶１（１Ａ）の蒸気通路３と第２段目の蒸発缶１（１Ｂ）内の伝熱管４ａとが蒸気導入管１４（１４Ａ）により接続され、第２段目の蒸発缶１（１Ｂ）の蒸気通路３と第３段目の蒸発缶１（１Ｃ）内の伝熱管４ａとが蒸気導入管１４（１４Ｂ）により接続され、第３段目の蒸発缶１（１Ｃ）の蒸気通路３と第４段目の蒸発缶１（１Ｄ）における吸引蒸気専用蒸発缶１Ｄａの伝熱管４ａおよび通常蒸発缶１Ｄｂの伝熱管４ａとが同じ蒸気導入管１４（１４Ｃ）により接続され、第４段目における通常蒸発缶１Ｄｂの蒸気通路３と第５段目の蒸発缶１（１Ｅ）の伝熱管４ａとが蒸気導入管１４（１４Ｄ）により接続されている。
【００２０】
また、第４段目の蒸発缶１（１Ｄ）における吸引蒸気専用蒸発缶１Ｄａにおいては、その底部に溜まったエジェクタ吐出蒸気の凝縮水および原水の濃縮水を、その散布器５に循環供給させる循環水循環管２１が設けられている。なお、この循環水循環管２１は、循環水用ポンプ２２が設けられた循環用の本体管部２１ａと、循環水を外部に排出し得るブロー用の取出管部２１ｂとから構成されている。
【００２１】
このブロー用の取出管部２１ｂから取り出されたブロー水は薬剤を含んでおり、ボイラーに戻すことができる。したがって、取水する原水量および使用する薬剤量（薬剤投入量）を、それぞれ吸引蒸気専用蒸発缶１Ｄａへの降水分だけ減少させることができる。
【００２２】
また、最後段の蒸発缶１（１Ｅ）の蒸気通路３から蒸気を取り出すための蒸気取出管１５には復水器２３が設けられている。この復水器２３には原水供給管１１により冷却用の原水が導かれており、原水蒸気が凝縮されて純水が得られる。
【００２３】
また、第４段目の蒸発缶１（１Ｄ）における吸引蒸気専用蒸発缶１Ｄａを除いた蒸発缶１，１同士は、それぞれ原水移送管２４を介して互いに接続されており、また最後段の蒸発缶１（１Ｅ）の底部には、濃縮原水用ポンプ（ブライン用ポンプ）２５が設けられて冷却用の原水を取り出し得る原水取出管２６が接続されている。
【００２４】
次に、上記構成における作用、すなわち蒸発方法について説明する。
上記構成において、蒸気供給管１２を介してエジェクタ吐出蒸気が第１段目の蒸発缶１（１Ａ）に供給され、その凝縮水が第４段目の吸引蒸気専用蒸発缶１Ｄａに供給されている状態において、原水供給管１１より原水として、海水が吸引蒸気専用蒸発缶１Ｄａを除いた各蒸発缶１の散布器５に供給されて熱交換器４の伝熱管４ａ上に散布されると、各伝熱管４ａ内を通過する蒸気により海水が蒸発する。
【００２５】
この蒸発した海水蒸気は、それぞれの蒸気通路３および蒸気導入管１４を介して、前段側の蒸発缶１から後段側（次段）の蒸発缶１の伝熱管４ａに導かれ、前段側の蒸発缶１での作用と同様に、散布器５から散布される海水を蒸発させるとともに、自らは冷却されて凝縮し、純水となる。
【００２６】
なお、第１段目の蒸発缶１（１Ａ）の伝熱管４ａ内で生じたエジェクタ吐出蒸気の凝縮水（勿論、設計や運転状態によっては蒸気も含まれる）は凝縮水移送管１６を介して、第４段目の蒸発缶１（１Ｄ）における吸引蒸気専用蒸発缶１Ｄａ内に移送され、そして循環水循環管２１の循環用の本体管部２１ａによりその散布器５に送られて伝熱管４ａ内の蒸気により蒸発される。この吸引蒸気専用蒸発缶１Ｄａにて発生した蒸気はその蒸気通路３および蒸気吸引管２０を介してエジェクタ１３の吸引部１３ａに吸引され、ボイラー蒸気の混入により圧縮されてエジェクタ吐出蒸気として第１段目の蒸発缶１（１Ａ）へと供給され、その伝熱管４ａ内を通過する際に凝縮されて凝縮水になった後、再度、第４段目の蒸発缶である吸引蒸気専用蒸発缶１Ｄａに導かれる。
【００２７】
第１段目の蒸発缶１（１Ａ）を除いた他の蒸発缶１（１Ｂ〜１Ｅ）の伝熱管４ａ内で凝縮した凝縮水は、純水取出管１６より純水として取り出される。
最後段の蒸発缶１（１Ｅ）内で発生した蒸気については、蒸気通路３および蒸気取出管１６より取り出されるが、その途中に設けられた復水器２３により凝縮されて純水として取り出される。
【００２８】
なお、各蒸発缶１内の底部に溜まった濃縮原水、すなわち濃度の濃い海水（ブラインである）は、順次、原水移送管２４を介して、次段の蒸発缶（第４段目の蒸発缶１Ｄについては通常蒸発缶１Ｄｂである）１に移送され、最後段の蒸発缶１の底部から原水取出管２６より、適宜、取り出される。
【００２９】
また、図示していないが、原水供給管１１から供給される原水が海水である場合には、当該海水にスケール抑制剤や消泡剤などの処理剤を添加するための処理剤添加手段が設けられている。
【００３０】
上記実施例に係る造水装置の構成によると、自己蒸気圧縮法が適用される蒸発缶、すなわちエジェクタ１３の吸引部１３ａに接続される第４段目の蒸発缶１（１Ｄ）を、吸引蒸気専用蒸発缶１Ｄａと通常蒸発缶１Ｄｂとで構成するとともに、吸引蒸気専用蒸発缶１Ｄａにて発生した蒸気をボイラー蒸気でもってエジェクタにて混合圧縮し、エジェクタ吐出蒸気として蒸発缶１に供給した後、当該蒸気は熱交換器４にて凝縮されて凝縮水（場合によっては蒸気を含む混合流体）となるが、再度、この凝縮水を吸引蒸気専用蒸発缶１Ｄａに戻すようにしているため、従来のように、ボイラー蒸気特有（由来）の不純物、例えば揮発性のボイラー水処理用薬剤などが純水に混入することがないので、得られる純水の純度が低下するのを防止することができる。
【００３１】
なお、従来例の欠点を解消するものとして、エジェクタ吐出蒸気が導かれる蒸発缶で生じた凝縮水を、エジェクタ吸引部と接続されている蒸発缶に戻さずに系外に排出し、代わりにエジェクタ吸引部と接続されている蒸発缶に原水を供給し、ここで発生した原水蒸気をエジェクタ吸引部に吸引させることも考えられる。しかし、この場合、当該蒸発缶に供給される原水（海水）のうち、エジェクタに吸引される蒸気分については純水として得られないため、当該造水装置に供給される原水（海水）の供給量を多くしなければならないが、上述した実施例の装置にあっては、その必要はない。
【００３２】
また、吸引蒸気専用蒸発缶に戻される水、つまり循環水は全量がボイラー蒸気の凝縮水であるため、従来技術とは異なり、エジェクタからの吐出蒸気に由来するボイラー水処理用薬剤の全量が含まれているとともに、原水蒸気由来の不純物による純度低下も防ぐことができる。したがって、循環水はより純度の高い濃縮ボイラー用水として再利用することができる。
【００３３】
ところで、上記実施例においては、自己蒸気圧縮法が用いられる蒸発缶を第４段目の蒸発缶としたが、例えば第５段目（最後段）の蒸発缶または第２段目若しくは第３段目の蒸発缶としてもよい。
【００３４】
また、上記実施例においては、蒸発装置を海水から純水を得る造水装置として説明したが、地下水、工業用水などから純水を得る装置であってもよい。
ここで、上記造水装置としての蒸発装置の構成および蒸発方法を纏めると、以下のようになる。
【００３５】
すなわち、この蒸発装置は、原水を伝熱管に導かれる加熱用蒸気により加熱し蒸発させて蒸気を得る蒸発缶が複数段でもって配置されるとともに、中間段または後段の蒸発缶内で発生した蒸気をエジェクタにより吸引して前段の蒸発缶の伝熱管に圧縮供給させるようにした自己蒸気圧縮法を用いた多重効用式の蒸発装置であって、
自己蒸気圧縮法が適用される中間段または後段の蒸発缶を、缶内発生蒸気が他の蒸発缶の伝熱管に導かれることなくエジェクタに導かれる吸引蒸気専用蒸発缶と、缶内発生蒸気がエジェクタに導かれない通常蒸発缶とから構成し、
且つ上記吸引蒸気専用蒸発缶の蒸気通路とエジェクタの吸引部とを蒸気吸引管で接続するとともに、前段の蒸発缶の伝熱管と上記吸引蒸気専用蒸発缶とを凝縮水移送管で接続し、
上記吸引蒸気専用蒸発缶より一段前の蒸発缶からの蒸気を上記吸引蒸気専用蒸発缶および上記通常蒸発缶に導くようにしたものである。
【００３６】
また、蒸発方法は、原水を伝熱管に導かれる加熱用蒸気により加熱し蒸発させて蒸気を得る蒸発缶が複数段でもって配置されるとともに、中間段または後段の蒸発缶内で発生した蒸気をエジェクタにより吸収し前段の蒸発缶に圧縮供給させるようにした自己蒸気圧縮法を用いた多重効用式の蒸発方法であって、
自己蒸気圧縮法が適用される中間段または後段の蒸発缶を、缶内発生蒸気が他の蒸発缶の伝熱管に導かれることなくエジェクタに導かれる吸引蒸気専用蒸発缶と、缶内発生蒸気がエジェクタに導かれない通常蒸発缶とに分け、
上記吸引蒸気専用蒸発缶にて発生した蒸気をエジェクタにより吸引して前段の蒸発缶の伝熱管に導くとともに当該伝熱管内で発生した凝縮水を吸引蒸気専用蒸発缶に戻すようになし、
さらに上記吸引蒸気専用蒸発缶より一段前の蒸発缶からの蒸気を上記吸引蒸気専用蒸発缶および上記通常蒸発缶に導く方法である。
【符号の説明】
【００３７】
１      蒸発缶
１Da   吸引蒸気専用蒸発缶
１Db   通常蒸発缶
２      蒸発室
３      蒸気通路
４      熱交換器
４ａ    伝熱管
５      散布器
６      区画壁
１１      原水供給管
１２      蒸気供給管
１３      エジェクタ
１３ａ    吸引部
１４      蒸気導入管
１５      蒸気取出管
１６      凝縮水移送管
１７      純水取出管
２０      蒸気吸引管
２１      循環水循環管
２３      復水器
２４      原水移送管
【図１】
0005804931.tif 000002